(57)【特許請求の範囲】
【請求項１】
ハニカムコアの上下面に、固定手段を介して上面板と下面板とを固定して成るハニカムサンドイッチパネルにおいて、
アルミニウム系合金板から成るハニカムコアの上下面に、アルミニウム系合金板から成る上面板と下面板とを固定すると共に、該上面板または下面板の音の発生する側の一方の面板側に、金属板の表面に所定高さの凹凸を設けて前記面板との間に０．５〜５ｍｍの厚さの中間層を形成する中間部材を介して固定手段により金属板を固定したことを特徴とする防音特性を備えたハニカムサンドイッチパネル。
【請求項２】
前記金属板の固定手段が、リベット、タッピングビス、ネジ、接着剤、両面テープ及びロウ付けの中から選ばれた一つを使用する請求項１に記載の防音特性を備えたハニカムサンドイッチパネル。
【発明の詳細な説明】
【技術分野】
【０００１】
この発明は、車両用床や航空機用床等に使用される防音特性を備えたハニカムサンドイッチパネルに係わり、更に詳しくは透過損失を向上させ、かつ高強度、低重量、不燃性を備えた防音特性を備えたハニカムサンドイッチパネルに関するものである。
【背景技術】
【０００２】
一般に音に対する静寂性に関しては、建築材料としての防音壁や防音床等、種々の材料が存在するが、特に車両用床や航空機用床等に使用される床板の場合には、防音特性向上に加えて、高強度、低重量で、かつ火災等を防止するため不燃性材料であることが要望されている。
【０００３】
ところで、従来の床板としては、ハニカムコアの上下面に、固定手段を介して上面板と下面板とを固定して成るハニカムサンドイッチパネルが知られており、特にハニカムサンドイッチパネルとしては、図６に示すように、アルミニウム板から成るハニカムコア１と、このハニカムコア１の上下面に接着剤等の固定手段４を介してアルミニウム板から成る上面板２及び下面板３とを積層させて構成したものや、図７に示すようにアルミニウム板から成るハニカムコア１と、このハニカムコア１の上面にアルミニウム板から成る上面板２を固定手段４を介して固定し、またハニカムコア１の下面に接着剤等の固定手段４を介してゴム板５を固定し、更にゴム板５の表面にアルミニウム板から成る下面板３や、または繊維強化プラスチック（ＦＲＰ）から成る下面板３ａを積層させて構成したものも提案されている（例えば、特許文献１参照）。
【０００４】
然しながら、前者のハニカムコア１及び上下面板２，３をアルミニウム板で構成したものは、低重量であるが、防音特性（遮音性能，制振性能）の点において満足できるものではなく、また後者のゴム板５の表面にアルミニウム板から成る下面板３や、繊維強化プラスチック（ＦＲＰ）から成る下面板３ａを積層させたものは、強度及び防音特性（遮音性能，制振性能）については良好であるが、構成部品の燃焼性において極難燃性以上の要求を満足することが出来ず、車両床への採用は課題が残されていた。
【特許文献１】特開平６−１９０９５７号公報
【発明の開示】
【発明が解決しようとする課題】
【０００５】
この発明はかかる従来の問題点に着目し、高強度、低重量、かつ不燃性であり、更に透過損失を向上させた防音特性を備えたハニカムサンドイッチパネルを提供することを目的とするものである。
【課題を解決するための手段】
【０００６】
この発明は上記目的を達成するため、アルミニウム系合金板から成るハニカムコアの上下面に、アルミニウム系合金板から成る上面板と下面板とを固定すると共に、該上面板または下面板の音の発生する側の一方の面板側に、金属板の表面に所定高さの凹凸を設けて前記面板との間に０．５〜５ｍｍの厚さの中間層を形成する中間部材を介して固定手段により金属板を固定したことを要旨とするものである。
【０００７】
ここで、前記ハニカムコアと上面板及び下面板とをアルミニウム系合金板により形成し、前記金属板が、鉄系合金板であり、更に前記金属板の固定手段が、リベット、タッピングビス、ネジ、接着剤、両面テープ及びロウ付けの中から選ばれた一つを使用するものである。
【０００８】
また、この発明の他のハニカムサンドイッチパネルは、軽金属板から成るハニカムコアの上下面に、金属板から成る上面板と下面板とを固定すると共に、音源側の上面板または下面板の一方に固定手段を介して金属板を固定したことを要旨とするものである。
【０００９】
ここで、前記ハニカムコアをアルミニウム系合金板により形成し、前記上面板、下面板、及び金属板を鉄系合金板により形成し、また前記固定手段が、リベット、タッピングビス、ネジ、接着剤、両面テープ及びロウ付けの中から選ばれた一つを使用するものである。
【００１０】
このように構成することで、重量当たりの透過損失を向上させ、特に高強度、低重量、かつ不燃性であり、更に透過損失を向上させることが出来るものである。
【発明の効果】
【００１１】
この発明は、上記のようにアルミニウム系合金板から成るハニカムコアの上下面に、アルミニウム系合金板から成る上面板と下面板とを固定すると共に、該上面板または下面板の音の発生する側の一方の面板側に、金属板の表面に所定高さの凹凸を設けて前記面板との間に０．５〜５ｍｍの厚さの中間層を形成する中間部材を介して固定手段により金属板を固定したので以下のような優れた効果を奏するものである。
(a).透過損失を向上させることで防音特性を向上させることが出来る。
(b).高強度、低重量、かつ不燃性であり、特に車両用床や航空機用床等に使用される防音床板の場合には有効である。
【発明を実施するための最良の形態】
【００１２】
以下、添付図面に基づき、この発明の実施形態を説明する。
なお、従来例と同一構成要素は、同一符号を付して説明は省略する。
【００１３】
図１はこの発明の第１実施形態を示すハニカムサンドイッチパネルの断面図を示し、この実施形態は、アルミニウムを主成分とするアルミニウム系合金板から成る上面板２と下面板３とを図示しない固定手段を介して固定し、前記音源側（この実施形態では上面板または下面板の音の発生する側）と成る下面板３には、所定の厚さｔ（例えば、０．５ｍｍ〜５ｍｍ）の中間部材６を介して鉄系合金板から成る金属板７が固定手段８を介して固定されている。
【００１４】
前記中間部材６としては、積層させた所定の厚さの難燃性のシート状繊維材料、例えば、ガラス繊維を複数枚（この実施形態では４枚積層してあるが、枚数には限定されない）積層させて構成したり、また図２に示すように所定の面積の難燃性のシート状繊維材料６ａを所定枚数積層させ、これを任意の間隔で配設して構成し、上記下面板３と金属板７とで挟持させた状態で固定手段８により固定することも可能である。
【００１５】
また、中間部材６の他の実施形態としては、図３に示すように表面に所定高さの凹凸６ｂを設けた金属板７により構成することも可能であり、この実施形態の場合にも、下面板３と金属板７との間に所定の厚さの中間層９を形成することが出来る。なお、この第３実施形態において、下面板３と金属板７とは中間層９を挟んで図示しない固定手段８により固定するものである。
【００１６】
前記アルミニウム系合金板とは、アルミニウム、ジュラルミン等、アルミニウムを主成分とする合金板であり、また鉄系合金板とは、鋼、ステンレス鋼、マルエージング鋼等、鉄を主成分とする合金板である。また前記固定手段８としては、リベット、タッピングビス、ネジ、接着剤、両面テープ及びロウ付けの中から選ばれた一つを使用し、この実施形態では固定手段８としてリベットを使用している。
【００１７】
また、上記各実施形態において、中間部材６は高強度、低重量、かつ不燃性の物であれば、特に上記の実施形態に限定されるものではない。
【００１８】
〔透過損失評価試験〕
（１）試験方法
JIS A 1416-2000 「実験室における建築部材の空気音遮断性能の測定方法」に基づき実  施した。測定計器・測定方法は、図５に示す方法で行った。
供試体寸法：1000×2000(mm)
【００１９】
（２）評価試験
上記のような各実施形態に基づき、上記の透過損失評価試験を行った結果、図４のグラフ説明図に示すように透過損失の向上が見られた。
【００２０】
即ち、グラフＡは従来のハニカムサンドイッチパネル、グラフＢは下面板３に鉄系合金板を固定した比較例、グラフＣは下面板に所定の厚さｔの中間部材６を介して鉄系合金板から成る金属板が固定手段を介して固定したこの発明の実施例である。
【００２１】
このグラフ説明図から明らかなように、下面板に所定の厚さｔの中間部材を介して鉄系合金板から成る金属板を固定した場合には、全ての周波数において透過損失が向上していることが判った。
【図面の簡単な説明】
【００２２】
【図１】この発明の第１実施形態を示すハニカムサンドイッチパネルの断面図である。
【図２】この発明の第２実施形態を示すハニカムサンドイッチパネルの断面図である。
【図３】この発明の第３実施形態を示すハニカムサンドイッチパネルの断面図である。
【図４】この発明の実施例について透過損失評価試験を行った結果のグラフ説明図である。
【図５】ハニカムサンドイッチパネルの透過損失評価試験を行う測定方法の説明図である。
【図６】従来のハニカムサンドイッチパネルの断面図である。
【図７】従来の他のハニカムサンドイッチパネルの断面図である。
【符号の説明】
【００２３】
１  ハニカムコア              ２  上面板
３  下面板                    ４  固定手段
５  ゴム板                    ６  中間部材
６ａ  シート状繊維材料        ６ｂ  凹凸
７  金属板                    ８  固定手段
９  中間層
【図１】
0005380766.tif 000002
【図２】
0005380766.tif 000003
【図３】
0005380766.tif 000004
【図４】
0005380766.tif 000005
【図５】
0005380766.tif 000006
【図６】
0005380766.tif 000007
【図７】
0005380766.tif 000008